(57)【要約】【課題】容器から容易に剥離できるシュリンクフィルムを提供する。【解決手段】両側辺を接合して接合部９を有する円筒を形成し、その円筒内に容器本体を挿入した後、収縮させて容器本体の外周に取り付け、容器本体から剥離するための剥離帯８を備える。そして、剥離帯８が接合部９に沿って両側に形成された２本のミシン目（剥離線）１１，１２を備える。【選択図】図２
2006276515.tif 000002
【特許請求の範囲】
【請求項１】
両側辺を接合して接合部を有する円筒を形成し、該円筒内に容器本体を挿入した後、収縮させて前記容器本体の外周に取り付けるシュリンクフィルムであって、前記容器本体から剥離するための剥離帯を備えるシュリンクフィルムにおいて、前記剥離帯が複数の剥離線を備えることを特徴とする、シュリンクフィルム。
【請求項２】
前記剥離帯が前記接合部に沿って両側に形成されることを特徴とする、請求項１に記載のシュリンクフィルム。
【請求項３】
前記剥離線が剥離促進部と形状保持部とを交互に備え、隣接した２本の前記剥離線の前記剥離促進部が千鳥状に配置されたことを特徴とする、請求項１に記載のシュリンクフィルム。
【請求項４】
前記一の剥離線の前記剥離促進部の後端と、前記別の剥離線の前記剥離促進部の前端とが前記容器本体の周方向に対してオーバーラップし、該オーバーラップした領域が前記剥離促進部の長さの１０％未満であることを特徴とする、請求項３に記載のシュリンクフィルム。
【請求項５】
前記剥離線がミシン目であるシュリンクフィルムであって、前記剥離促進部が切断部であることを特徴とする、請求項３に記載のシュリンクフィルム。
【発明の詳細な説明】
【技術分野】
【０００１】
本発明は、両側辺を接合して接合部を有する円筒を形成し、その円筒内に容器本体を挿入した後、収縮させて容器本体の外周に取り付けるシュリンクフィルムに関する。
【背景技術】
【０００２】
従来、ビール、ビタミン飲料、乳・乳飲料、ジュ−ス、炭酸飲料、水、お茶等の飲料水、あるいは、オイル、調味料、その他種々の液状食品を充填包装するために、種々の形態からなるプラスチック製ボトル、ガラス瓶、金属缶等（以下「容器本体」という。）が開発されている。これらの容器本体の表面に、容器の保護、結束、ラベル貼り等の目的で、上記の容器本体の一部または全部を迅速に被覆、あるいは、結束する包装材料として、シュリンクフィルムが知られている。
【０００３】
シュリンクフィルムの包装方法としては、例えば、筒状、若しくは、袋状のシュリンクフィルムに少し余裕を持たせて容器本体に一次包装した後、熱風、スチーム等によってシュリンクフィルムを容器本体外周面にシュリンク包装させる方法が知られている。また、他のシュリンクフィルムの包装方法としては、シュリンクフィルムをある程度緊張状態で包装し、フィルムの端を容器本体の底部に折り込んで、該折り込み部をフィルム同士の自己密着力または熱融着により一次包装した後、シュリンク処理させてフィルムの弛みやシワを除去するストレッチシュリンク等の方法も知られている。
【０００４】
容器本体の形状としては、角状、丸状、ひょうたん状等のあらゆる形状の容器本体にシュリンク包装することができるため、容器本体の形状の選択幅を広くとることができるものである。また、シュリンクフィルムと容器本体とを直接接着していないため、シュリンクフィルムを剥離することにより容器本体とを完全に分離することができる。このため、リサイクルの観点からも、シュリンクフィルムは今後益々需要の拡大が期待される。
【０００５】
しかしながら、従来のシュリンクフィルムはミシン目（剥離線）が１本のため、剥離途中でミシン目から逸れて破断が進行してしまい、最後まで縦方向にスムーズに剥離できないという問題があった。
この問題を解決するために、図９（ａ）のようなミシン目Ａを２本設けたシュリンクフィルムＢを容器本体Ｃに外装することが提案されている（例えば特許文献１）。
【０００６】
【特許文献１】特開２００２−３３７８８０号公報
【発明の開示】
【発明が解決しようとする課題】
【０００７】
しかし、図９（ｂ）のように開封途中でミシン目（Ａ）から逸れて容器本体（Ｃ）の周方向に裂けてしまい依然として開封しにくいことから、上記問題点を解決するに至っていない。
そこで、この発明の目的は、容器から容易に剥離できるシュリンクフィルムを提供することにある。
【課題を解決するための手段】
【０００８】
上記の課題を解決するために、請求項１記載の発明は、両側辺を接合して接合部を有する円筒を形成し、該円筒内に容器本体を挿入した後、収縮させて前記容器本体の外周に取り付けるシュリンクフィルムであって、前記容器本体から剥離するための剥離帯を備えるシュリンクフィルムにおいて、前記剥離帯が複数の剥離線を備えることを特徴とする。
【０００９】
請求項２に記載の発明は、請求項１に記載のシュリンクフィルムにおいて、剥離帯が前記接合部に沿って両側に形成されることを特徴とする。
【００１０】
請求項３に記載の発明は、請求項１に記載のシュリンクフィルムにおいて、前記剥離線が剥離促進部と形状保持部とを交互に備え、隣接した２本の前記剥離線の前記剥離促進部が千鳥状に配置されたことを特徴とする。
【００１１】
請求項４に記載の発明は、請求項３に記載のシュリンクフィルムにおいて、前記一の剥離線の前記剥離促進部の後端と、前記別の剥離線の前記剥離促進部の前端とが前記容器本体の周方向に対してオーバーラップし、該オーバーラップした領域が前記剥離促進部の長さの１０％未満であることを特徴とする。
【００１２】
請求項５に記載の発明は、請求項３に記載のシュリンクフィルムにおいて、前記剥離線がミシン目であるシュリンクフィルムであって、前記剥離促進部が切断部であることを特徴とする。
【発明の効果】
【００１３】
請求項１に記載の発明によれば、両側辺を接合して接合部を有する円筒を形成し、その円筒内に容器本体を挿入した後、収縮させて容器本体の外周に取り付けるシュリンクフィルムであって、容器本体から剥離するための剥離帯を備えるシュリンクフィルムにおいて、剥離帯が複数の剥離線を備えるので、容器本体からシュリンクフィルムを剥離するにあたり、一の剥離線から逸れて剥離が進行したときには、別の剥離線に沿って剥離を継続することができ、容器本体からシュリンクフィルムを容易に剥離することができる。
【００１４】
請求項２に記載の発明によれば、剥離帯が接合部に沿って両側に形成されるので、補強された接合部を剥離に使用して剥離帯から逸れて剥離が進行することを防止することができ、いっそう容器本体からシュリンクフィルムを容易に剥離することができる。
【００１５】
請求項３に記載の発明によれば、剥離線が剥離促進部を形状保持部とを交互に備え、隣接した２本の剥離線の剥離促進部が千鳥状に配置されるので、容器からシュリンクフィルムを剥離するにあたり、一の剥離線から逸れて剥離が進行したときには、別の剥離線に沿って剥離を一層継続しやすくなり、容器本体からシュリンクフィルムを一層容易に剥離することができる。
【００１６】
請求項４に記載の発明によれば、一の剥離線の剥離促進部の後端と、別の剥離線の剥離促進部の前端とが容器本体の周方向に対してオーバーラップし、オーバーラップした領域が剥離促進部の長さの１０％未満であるので、２本の剥離線のうち、一の剥離線または別の剥離線のいずれか一方が剥離促進部にて開始することができ、剥離を容易にするとともに、シュリンクフィルムの強度を適切に保持することができる。
【００１７】
請求項５に記載の発明によれば、剥離線がミシン目であるシュリンクフィルムであって、剥離促進部が切断部であるので、簡単な装置により剥離線を形成することができる。
【００１８】
このように、フィルムが重なり合う比較的強度の高い接合部の両側に、複数の剥離線からなる剥離帯をそれぞれ形成した本発明のシュリンクフィルムを用いることにより消費者が容易、且つ確実に開封できるシュリンクフィルムを提供することができる。
また、接合部をさけて商品ロゴなどを印刷すると、剥離時に商品ロゴが破損することなく、商品の周知効果を高めることができる。さらには、接合部には商品ロゴなどの印刷を施さないため、ミシン目が見えやすく、剥離帯を探し易い効果もある。
【発明を実施するための最良の形態】
【００１９】
以下、本発明のシュリンクフィルムの一例について図面を参酌しつつ説明する。図１は、外周面にシュリンクフィルム（７）を備える容器（Ｐ）の側面図である。容器Ｐは、筒状の熱収縮性フィルムが容器に外嵌装着されてなるものである。
容器本体（１）の口部（３）はキャップ（２）により嵌着され密閉される。口部（３）の下方は連続的に断面積の増加する肩部（４）を有し、該肩部（４）より底部（６）に向かって略同一断面積よりなる側部（５）を備える。
【００２０】
側部（５）には容器本体（１）の周方向にわたってシュリンクフィルム（７）を設ける。シュリンクフィルム（７）は、シート状のシュリンクフィルムの両側辺を接合してなる接合部（９）を有する円筒状に形成し、接合部の両側にはそれぞれ剥離帯（８）を備える。
【００２１】
この剥離帯（８）は詳しくは、図２に示すようになっている。すなわち、シュリンクフィルム（７）の接合部（９）を挟んだ両側に、それぞれ２列のミシン目（剥離線）（１１）（１２）からなる剥離帯（８）が形成され、ミシン目（１１）は、縦方向に切断部分（１１Ａ）と非切断部分（１１Ｂ）を交互に形成してなる。
同様にミシン目（１２）は縦方向に切断部分（剥離促進部）（１２Ａ）と非切断部分（形状保持部）（１２Ｂ）を交互に形成してなる。
【００２２】
図３は、シュリンクフィルム（７）の展開図である。シュリンクフィルム（７）の両側辺（７ｃ）（７ｃ'）から距離ａだけ離れた位置に剥離帯（８）を構成するミシン目（１１）を設ける。なお、距離ａは１５ｍｍ程度であることが好ましい。また、ミシン目（１２）はミシン目（１１）と平行に距離ｃだけ内側に形成する。ｃは２ｍｍ程度が好ましい。
さらに、シュリンクフィルム（７）の両側辺（７ｃ）（７ｃ'）より内側に距離ｂを接合部分（９Ａ）とする。この接合部分（９Ａ）を重ね合わせると接合部（９）が形成される。
２本のミシン目（１１）（１２）を同時に破断することによってシュリンクフィルム（７）の剥離を進行させるので、剥離途中にたとえミシン目（１１）が容器（Ｐ）の周方向（Ｓ）に裂けてしまっても隣り合う別のミシン目（１２）によって破断が進行するため、接合部（９）を最後まで継続して確実に切り取ることができる。
【００２３】
接合部分（９Ａ）を重ね合わせて形成した筒状体のシュリンクフィルム（７）を、容器Ｐに装着する方法について以下に説明する。図４は、自動ラベル装着装置の一例を示す概略的構成図である。まず、自動ラベル装着装置のラベラー（Ｌ）において、連続して供給される容器本体（１）の上部より筒状体となったシュリンクフィルム（７）を装着する。次に、容器本体（１）をシュリンクトンネル（Ｔ）に通して、所定温度、例えば、８０〜２００℃の熱風や、水蒸気、及び、水蒸気が結露した湯気により加熱するスチームや、赤外線等の輻射熱を作用させて、周方向に高収縮させてシュリンク容器（Ｐ）を完成する。
【００２４】
以上のように製造された容器（Ｐ）よりシュリンクフィルム（７）を剥離するには、図５に示すように剥離開始位置（１０）を下方に引っ張り（あるいは剥離帯（８）の下端部（７Ｂ）を上方に引っ張り）、ミシン目（１１）（１２）に沿って切り取ることにより接合部（９）をシュリンクフィルム（７）から切り離す。この時、剥離帯（８）が接合部（９）の両側にそれぞれ設けられており、この接合部（９）は比較的強度が高く、力を加えやすいため、小さな力でも容易に剥離帯を切り取ることができる。
【００２５】
なお、シュリンクフィルム（７）は、図６に示すように、３本のミシン目（１１）（１２）（１３）を備える剥離帯（８）を有するように構成してもよい。この時ミシン目（１１）（１２）（１３）はそれぞれ距離ｃで形成されるものとする。
剥離帯（８）をこのように構成すると、シュリンクフィルム（７）をよりいっそう剥離帯（８）に沿って最後まで剥離することが容易になる。
【００２６】
また、シュリンクフィルム（７）は、図７に示すようにミシン目（１１）（一の剥離線）、ミシン目（１２）（別の剥離線）とが千鳥状に配置されていてもよい。
この場合、フィルムの両側辺（７ｃ）（７ｃ'）から距離ａ離れた位置に剥離帯（８）としての２列のミシン目（１１）（１２）を千鳥状に設ける。
なお、距離ａは１５ｍｍ程度であることが好ましい。ミシン目間の距離ｃは２ｍｍ前後であり、シュリンクフィルム（７）の両側辺（７ｃ）（７ｃ'）を接合してなる接合部分（９Ａ）が重なる距離ｂは５ｍｍ前後であることが好ましい。
このようにして、剥離帯（８）を千鳥状に設けることにより、周方向（Ｓ）に対して剥離開始部（１０）において、剥離帯（８）の２列のミシン目（１１）（１２）のうち少なくとも１つが切断部（剥離促進部）（１１Ａ）（１２Ａ）を形成しており、シュリンクフィルム（７）の切り取り開始がより一層容易となる。
【００２７】
また、千鳥状に配置されたミシン目（１１）（１２）は、図８（ａ）に示すようにミシン目（１１）の切断部（１１Ａ）の後端（１１ｂ）と、ミシン目（１２）の切断部（１２Ａ）の前端（１２ａ）とが、シュリンクフィルム（７）の周方向（Ｓ）に対して１０％でオーバーラップするように形成される。この場合、ミシン目（１２）の切断部（１２Ａ）の長さＭが０．５ｍｍであり、隣り合うミシン目（１１）の切断部（１１Ａ）のオーバーラップする長さＮは０．０５ｍｍとする。なお、ミシン目は、一のミシン目の後端（１１ｂ）と隣り合う別のミシン目の前端（１２ａ）とが０％から１０％の範囲でオーバーラップすることが望ましい。これにより、複数本のミシン目のうち、何れかのミシン目の切断部が、シュリンクフィルムの上端部（７Ａ）に形成されることが可能となる。
【００２８】
また、図８（ｂ）に示すようにオーバーラップする割合が０％であった場合、ミシン目の切断部の後端と、隣り合う別のミシン目の切断部の前端とは、周方向（Ｓ）の同一線（ｌ）上で一致するように形成されることとなる。
よって、シュリンクフィルム（７）の千鳥状に配置されたミシン目（１１）（１２）は、剥離開始位置であるシュリンクフィルム上端部（７Ａ）において必ず１つの切断部分（１１Ａ）または切断部分（１２Ａ）が形成されることとなり、シュリンクフィルム（７）の切り始めが容易となるばかりでなく、シュリンクフィルム上端部（７Ａ）において２つの切断部分が形成される場合と比較して、シュリンクフィルム（７）の適切な強度を保つことができる。よって、容器（Ｐ）の落下時に不用意に剥離帯が剥がれてしまうようなことがない。
【００２９】
本発明において、シュリンクフィルムの材質としては、印刷適性を有すれば、特に限定されず、一般的にシュリンクフィルムに使用されている熱収縮性のポリエチレンテレフタレートフィルム、ポリスチレンフィルム、ポリプロピレンフィルム、低密度ポリエチレンフィルム、中密度ポリエチレンフィルム、高密度ポリエチレンフィルム、低密度直鎖状ポリエチレンフィルム、環状ポリオレフィンフィルム、エチレン−プロピレン共重合体、エチレン−酢酸ビニル共重合体、アイオノマー樹脂、エチレン−アクリル酸共重合体、エチレン−アクリル酸メチル共重合体等の樹脂から製膜されたポリオレフィン系フィルム、塩素化ポリエチレン，塩素化ポリプロピレンなどの樹脂から製膜された変性ポリオレフィンフィルム、塩化ビニル−酢酸ビニル共重合体の樹脂から製膜されたフィルム、アクリル系樹脂系フィルム等、同素材または異種素材をラミネートした積層のもの、不織布が使用できる。
【００３０】
また、シュリンクフィルムは、顔料等の着色剤で着色され遮光性を有するものであってもよい。このようにすると、容器（Ｐ）の内容物が直接光に当たると変質してしまう場合に好適である。シュリンクフィルムの厚みは、特に限定されないが、耐熱性、剛性、ラベルとした時の作業性、外観等を損なわない範囲で、適宜選択され、５〜７０μｍ位好ましく、１５〜６０μｍ位が望ましい。シュリンクフィルムの種類は、印刷適性、剛性、ラベルとした時の作業性の面から、ポリエチレンテレフタレート・ポリスチレンフィルム等を用いることが好ましい。また、印刷をせず着色のみのシュリンクフィルムであっても良い。これによって、ワインなどの品質劣化を防止することができる。
【００３１】
本発明にかかるシュリンクフィルム（７）に設けられているミシン目（１１〜１３）は、例えば、周囲に切断部と非切断部とが繰り返し形成された円板状の刃物を押し当てる方法等によりミシン目を施すことができる。このミシン目は筒状体からなるシュリンクラベルを製造する工程、即ち、シュリンクフィルム断裁工程、筒貼り工程、シュリンクラベル断裁工程のうち、適宜の段階で施すことができる。
前記のミシン目としては、７０〜９０℃の温水１０秒間で、熱収縮が最大７０〜８０％以上であって、ポリエチレンテレフタレートフィルム等の硬い熱収縮フィルムの場合、剥離促進部の長さ０．３〜０．６ｍｍで、形状保持部の長さ０．３〜０．６ｍｍが好ましい。また、ミシン目の切断部分としては、貫通孔でなくフィルム薄肉部としても良い。
【００３２】
本発明にかかるシュリンクフィルムを嵌着する容器本体（１）としては、例えば、ガラス瓶、プラスチックボトル、金属缶等の容器などが挙げられる。前記のプラスチック製容器を構成する樹脂として、例えば、ポリプロピレンなどのオレフィン系重合体やポリスチレンなどのスチレン系重合体等のビニル重合体、ポリエステル、塩化ビニル樹脂などが挙げられる。上記の容器の形状としては、丸型、角型、八角型、ひょうたん型でも良い。
【００３３】
また、上記の容器に充填する内容物としては、ビール、ビタミン飲料、乳・乳飲料、ジュ−ス、炭酸飲料、水、お茶等の飲料水、あるいは、油脂、調味料、その他種々の液状食品、化粧水、液状洗剤等が挙げられる。
【００３４】
以下、本発明のシュリンクフィルムのミシン目の形成条件を変化させたときの容器からの剥離し易さの評価結果を示す。
なお、シュリンクフィルム（７）は、ミシン目の切断部分（孔）の長さと、ミシン目の非切断部分（ピッチ）の長さ、ミシン目の本数と、シュリンクフィルムの種類と、を変化させて、以下パターン１からパターン４に示す１２種類を作製した。
シュリンクフィルム（７）を装着する容器本体（１）としては、２８０ｍｌのペットボトル容器を用い、図４に示す自動ラベル装着装置に供給した。この時、シュリンクフィルム（７）の幅は、容器本体（１）の胴周りの１０８％となっている。このシュリンクフィルム（７）をペットボトル製容器本体（１）の外周表面に嵌着後、シュリンクトンネル（Ｔ）においてスチームヒータで９０℃、１０秒間加熱しシュリンク装着したペットボトル（Ｐ）を得た。
【００３５】
〈パターン１〉
シュリンクフィルム素材として、Ｇ社製の厚さ５０μｍの延伸ポリプロピレン（ＯＰＰ）ラベルを用いた。そして、ミシン目は、剥離促進部（孔）の長さ０．４ｍｍ、形状保持部（ピッチ）の長さ０．６ｍｍのミシン目をシュリンクフィルムの両側辺から距離１５ｍｍの位置において、２ｍｍの間隔で２列施した。その後、シュリンクフィルムの両側辺を重ね合わせ形成した接合部分（９Ａ）を溶着シールで熱接着させ円筒状に形成した。
【００３６】
同様に、剥離促進部（孔）の長さ０．５ｍｍ、形状保持部（ピッチ）の長さ０．５ｍｍのミシン目をシュリンクフィルムの両側辺から距離１５ｍｍの位置において、２ｍｍの間隔で２列施した。また、剥離促進部（孔）の長さ０．５ｍｍ、形状保持部（ピッチ）の長さ０．５ｍｍのミシン目をシュリンクフィルムの両側辺から距離１５ｍｍの位置において、２ｍｍの間隔で３列施した。これらのシュリンクフィルムを装着したペットボトル容器（Ｐ）において、容器（Ｐ）のシュリンクフィルムを剥離帯に沿って上端部から下方に向けて切り取った切り取り評価結果を表２に示す。また、表１は従来のミシン目が１列の市販品を用いた評価結果である。なお、市販品のシュリンクフィルムのミシン目の孔は０．５ｍｍであり、ピッチは２．５ｍｍであって、シュリンクフィルムを収縮させた後のミシン目のサイズである。
【００３７】
【表１】
2006276515.tif 000003
【００３８】
【表２】
2006276515.tif 000004
【００３９】
〈パターン２〉
シュリンクフィルム素材として、Ｍ社製の厚さ５０μｍの延伸ポリプロピレン（ＯＰＰ）ラベルを用いた。そして、ミシン目は、剥離促進部（孔）の長さ０．４ｍｍ、形状保持部（ピッチ）の長さ０．６ｍｍのミシン目をフィルムの両側辺から距離１５ｍｍの位置において、２ｍｍの間隔で２列施した。その後、シュリンクフィルムの両側辺を重ね合わせ形成した接合部を溶着シールで熱接着させ円筒状に形成した。
【００４０】
同様に、剥離促進部（孔）の長さ０．５ｍｍ、形状保持部（ピッチ）の長さ０．５ｍｍのミシン目をフィルムの両側辺から距離１５ｍｍの位置において、２ｍｍの間隔で２列施した。また、剥離促進部（孔）の長さ０．５ｍｍ、形状保持部（ピッチ）の長さ０．５ｍｍのミシン目をフィルムの両側辺から距離１５ｍｍの位置において、２ｍｍの間隔で３列施した。これらのシュリンクフィルムを装着したペットボトルにおいて、容器（Ｐ）のシュリンクフィルムを剥離帯に沿って上端部から下方に向けて切り取った切り取り評価結果を表３に示す。
【００４１】
【表３】
2006276515.tif 000005
【００４２】
〈パターン３〉
シュリンクフィルム素材として、Ｏ社製の厚さ５０μｍの延伸ポリプロピレン（ＯＰＰ）ラベルを用いた。そして、ミシン目は、剥離促進部（孔）の長さ０．４ｍｍ、形状保持部（ピッチ）の長さ０．６ｍｍのミシン目をフィルムの両側辺から距離１５ｍｍの位置において、２ｍｍの間隔で２列施した。その後、シュリンクフィルムの両側辺を重ね合わせ形成した接合部を溶着シールで熱接着させ円筒状に形成した。
【００４３】
同様に、剥離促進部（孔）の長さ０．５ｍｍ、形状保持部（ピッチ）の長さ０．５ｍｍのミシン目をフィルムの両側辺から距離１５ｍｍの位置において、２ｍｍの間隔で２列施した。また、剥離促進部（孔）の長さ０．５ｍｍ、形状保持部（ピッチ）の長さ０．５ｍｍのミシン目をフィルムの両側辺から距離１５ｍｍの位置において、２ｍｍの間隔で３列施した。これらのシュリンクフィルムを装着したペットボトルにおいて、容器（Ｐ）のシュリンクフィルムを剥離帯に沿って上端部から下方に向けて切り取った切り取り評価結果を表４に示す。
【００４４】
【表４】
2006276515.tif 000006
【００４５】
〈パターン４〉
シュリンクフィルム素材として、ＯＰＳ（延伸ポリスチレン）フィルムを用いた。そして、ミシン目は、剥離促進部（孔）の長さ０．５ｍｍ、形状保持部（ピッチ）の長さ０．５ｍｍのミシン目をフィルムの両側辺（７ｃ）（７ｃ'）から距離１５ｍｍの位置に１列施した。その後、シュリンクフィルムの両側辺を重ね合わせ形成した接合部を溶着シールで熱接着させ円筒状に形成した。
【００４６】
同様に、剥離促進部（孔）の長さ０．５ｍｍ、形状保持部（ピッチ）の長さ０．５ｍｍのミシン目をフィルムの両側辺から距離１５ｍｍの位置において、２ｍｍの間隔で２列施した。また、剥離促進部（孔）の長さ０．５ｍｍ、形状保持部（ピッチ）の長さ０．５ｍｍのミシン目をフィルムの両側辺から距離１５ｍｍの位置において、２ｍｍの間隔で３列施した。これらのシュリンクフィルムを装着したペットボトルにおいて、容器（Ｐ）のシュリンクフィルムを剥離帯に沿って上端部から下方に向けて切り取った切り取り評価結果を（表５）に示す。
【００４７】
【表５】
2006276515.tif 000007
【００４８】
以上、表１から表５に示す評価の結果、ミシン目が１列の市販品に比べ、複数のミシン目を有する場合において、よい結果が得られた。特に、パターン１および２のシュリンクフィルムでは、センターシール部の両側にミシン目を設けることで、ミシン目の列に係わらず比較的良い結果が得られた。しかし、パターン３のシュリンクフィルムでは、ミシン目が１列の場合の評価は悪く、２列以上の評価が良いことがわかった。さらには、パターン４のＯＰＳフィルムでは、ミシン目が１列よりも２列、３列の場合の評価が最も良かった。
また、すべての場合において、センターシール部をはさんでミシン目を両側に設けることにより、シュリンクフィルムを少ない力で容易に開封でき、開封途中でミシン目間を移動することはあってもミシン目外の包装体が破断することはなかった。
【００４９】
以上詳述したように、この発明のシュリンクフィルム７は、両側辺７ｃ，７ｃ´を接合して接合部９を有する円筒を形成し、その円筒内に容器本体１を挿入した後、収縮させて容器本体１の外周に取り付けるシュリンクフィルムであって、容器本体１から剥離するための剥離帯８を備える。そして、剥離帯８が接合部９に沿って両側に形成された複数のミシン目（剥離線）１１，１２を備える。また、ミシン目１１，１２が切断部（剥離促進部）１１Ａ，１２Ａと非切断部（形状保持部）１１Ｂ，１２Ｂとを交互に備え、隣接した２本のミシン目１１，１２の切断部１１Ａ，１２Ａが千鳥状に配置されてもよい。さらに、ミシン目（一の剥離線）１１の切断部１１Ａの後端１１ｂと、ミシン目（別の剥離線）１２の切断部１２Ａの前端１２ａとが容器Ｐの周方向Ｓに対して同一線ｌ上に配置されてもよい。また、剥離促進部がエンボス加工または、熱で表層を溶融してフィルム厚を薄くするなどして形成した薄肉部であってもよい。さらに、シュリンクフィルム７が、遮光性を有するようにしてもよい。
なお、剥離帯８は接合部９に沿って両側に形成されることに限定されるものではなく、シュリンクフィルム７の外周面の任意の場所に形成することができる。
【図面の簡単な説明】
【００５０】
【図１】本発明の実施形態を示す容器の側面図である。
【図２】シュリンクフィルム上端部の拡大図である。
【図３】２本の剥離線を有するシュリンクフィルムの展開図である。
【図４】容器本体にシュリンクフィルムを取り付ける工程を示す図である。
【図５】容器からシュリンクフィルムを剥離する様子を示した図である。
【図６】３本の剥離線を有するシュリンクフィルムの展開図である。
【図７】千鳥状の剥離帯を有する加熱収縮前のシュリンクフィルムの展開図である。
【図８】（ａ）千鳥状の剥離帯の一部拡大図である。  （ｂ）千鳥状の剥離帯の別の例を示す一部拡大図である。
【図９】従来のシュリンク容器を示す側面図である。
【符号の説明】
【００５１】
１    容器本体
２    キャップ
３    口部
４    肩部
５    側部
６    底部
７    シュリンクフィルム
７Ａ    上端部
７Ｂ    下端部
７ｃ，７ｃ´    側辺
８    剥離帯
９    接合部
９Ａ    接合部分
１０    剥離開始部
１１，１２，１３    ミシン目（剥離線）
１１Ａ，１２Ａ    切断部（剥離促進部）
１１Ｂ，１２Ｂ    非切断部分（形状保持部）
１１ａ，１２ａ    前端
１１ｂ，１２ｂ    後端
Ｐ  ペットボトル（容器）
Ｓ  周方向
Ｌ  ラベラー
Ｔ  シュリンクトンネル
Ｍ  切断部の長さ
Ｎ  オーバーラップ部の長さ
ｌ  同一線
【図１】
2006276515.tif 000008
【図２】
2006276515.tif 000009
【図３】
2006276515.tif 000010
【図４】
2006276515.tif 000011
【図５】
2006276515.tif 000012
【図６】
2006276515.tif 000013
【図７】
2006276515.tif 000014
【図８】
2006276515.tif 000015
【図９】
2006276515.tif 000016